(57)【特許請求の範囲】
【請求項１】
回転支点により開閉する開閉カバーに、硬貨を投入する硬貨投入口と、当該硬貨投入口に隣接して硬貨を一時的に置く硬貨置場を備え、投入された硬貨を装置内に取り込んで格納可能な現金処理装置であって、
前記硬貨置場より前記回転支点側の開閉カバーに設けられた開口部の周囲に突起形状を設けるようにしたことを特徴とする現金処理装置。
【請求項２】
前記突起形状は、前記回転支点側とは反対側の前記開口部の周囲のみに設けるようにしたことを特徴とする請求項１記載の現金処理装置。
【請求項３】
前記開口部は、レシートを排出するレシート口またはリジェクト紙幣を排出するリジェクト口であることを特徴とする請求項１記載の現金処理装置。
【請求項４】
前記突起形状は、船底状の突起形状であることを特徴とする請求項１または２記載の現金処理装置。
【発明の詳細な説明】
【技術分野】
【０００１】
本発明は、硬貨等の現金を扱う現金処理装置における硬貨の装置内への落下防止構造に関するものである。
【背景技術】
【０００２】
一般に、従来の現金処理装置では、図５に示したように、硬貨２０を投入するための硬貨投入口１１、紙幣を投入するための紙幣投入口２と、装置上部を覆い開閉可能な開閉カバー３と、オペレータや保守員、警送員等（以下、「オペレータ等」という）が操作する操作部４と、オペレータ等がそれぞれ所持する磁気カードの磁気データを読み取るカード読取部５と、回収した硬貨や紙幣を格納する金庫部６と、鑑別できなかった紙幣をリジェクト口７ａに排出する紙幣リジェクト部７と、オペレータ等が投入しようとする硬貨２０を置いておく硬貨置場８と、入金記録を印字した用紙を排出するレシート口９と、を備える。
【０００３】
そして、装置内を効率的に保守できるようにするために、回転支点３ａを装置背面側に設け、図６の矢印Ｃのように開閉カバー３を開くことができる構造となっている（例えば、特許文献１参照）。
【先行技術文献】
【特許文献】
【０００４】
【特許文献１】特開平６−２７２４５３号公報
【発明の概要】
【発明が解決しようとする課題】
【０００５】
しかしながら、上記従来の現金処理装置では、硬貨２０の入金時、硬貨置場８に硬貨２０を置いた状態で開閉カバー３を開くと、硬貨２０が矢印Ｂのように硬貨置場８から開閉カバー３上を滑り、レシート口９などの開口部に到達しこの開口部から装置内に落下し、硬貨２０が紛失したり、装置内に落下した硬貨２０により装置故障が発生したりする問題があった。
【課題を解決するための手段】
【０００６】
本発明は、前述の課題を解決するために次の構成を採用する。すなわち、回転支点により開閉する開閉カバーに、硬貨を投入する硬貨投入口と、当該硬貨投入口に隣接して硬貨を一時的に置く硬貨置場を備え、投入された硬貨を装置内に取り込んで格納可能な現金処理装置であって、前記硬貨置場より前記回転支点側の開閉カバーに設けられた開口部の周囲に突起形状を設けるようにした。
【発明の効果】
【０００７】
本発明の現金処理装置によれば、以上のように構成したので、開閉カバーの上に硬貨を置いたまま開閉カバーを開けてもレシート口から装置内に硬貨が落下しないようすることができ、硬貨が紛失したり、装置内に落下した硬貨による装置故障をなくすことができる。
【図面の簡単な説明】
【０００８】
【図１】実施例１の現金処理装置の構成図である。
【図２】実施例１の現金処理装置のＸ−Ｘ断面図である。
【図３】実施例２の現金処理装置の構成図である。
【図４】実施例３の現金処理装置の構成図である。
【図５】従来の現金処理装置の構成図である。
【図６】従来の現金処理装置の構成図である。
【発明を実施するための形態】
【０００９】
以下、本発明に係わる実施の形態例を、図面を用いて説明する。図面に共通する要素には同一の符号を付す。なお、以下の説明では、硬貨等の現金を取り扱う現金処理金装置を例として説明するが、一定の大きさのコインなどを取り扱うコイン処理装置などであってもよい。
【実施例１】
【００１０】
（構成）
図１は実施例１の現金処理装置１の外観斜視図、図２は図１のＸ−Ｘ断面図を示したものである。
【００１１】
同図に示したように、実施例１の現金処理装置１は、硬貨２０を投入するための硬貨投入口１１、紙幣を投入するための紙幣投入口２と、装置上部を覆い開閉可能な開閉カバー３と、オペレータ等が操作する操作部４と、オペレータ等がそれぞれ所持する磁気カードの磁気データを読み取るカード読取部５と、回収した硬貨や紙幣を格納する金庫部６と、鑑別できなかった紙幣をリジェクト口７ａに排出する紙幣リジェクト部７と、オペレータ等が投入しようとする硬貨２０を置いておく硬貨置場８と、入金記録を印字した用紙を排出するレシート口９と、を備える。  
【００１２】
また、装置内を効率的に保守できるようにするために、回転支点３ａを装置背面側に設け、矢印Ｃのように開閉カバー３を開くことができる構造となっている
【００１３】
実施例１の現金処理装置１では、さらに、レシート口９を囲うように突起形状のレシート口土手９ａを設けている。なお、レシート口土手９ａは、装置正面側、すなわち回転支点３ａ側とは反対側にのみに設けるようにしてもよい。
【００１４】
（動作）
以上の構成により実施例１の現金処理装置１は、以下のように動作する。最初に、図１を用いて硬貨２０を入金する動作を説明する。
【００１５】
まず、オペレータ等がそれぞれ所持する磁気カードをカード読取部５に通すと、記録された磁気データをカード読取部５にて読み取り、操作者がオペレータ、保守員、警送員のいずれであるかを判定し、当該判定結果に応じて操作モードを切り替え、紙幣や硬貨の入金操作や、金庫部６から現金の回収操作、メンテナンス操作などを行う。
【００１６】
そして、現金処理装置１に硬貨２０を入金するときは、一度に硬貨投入口１１に入る投入枚数には制限があるため、一旦、硬貨２０を硬貨置場８に置く。
【００１７】
そして、硬貨置場８に置いた硬貨２０を硬貨投入口１１が一杯になるまで投入し、投入された硬貨２０の鑑別が行われ、鑑別された硬貨２０が金庫部６に搬送されると、硬貨置場８に残っている硬貨２０を硬貨投入口１１が一杯になるまで投入し、この作業を繰り返し行う。
【００１８】
このとき、現金処理装置１に障害等が発生すると、装置内部の保守を行うために開閉カバー３を開く。すると、硬貨置場８に置かれたままの硬貨２０がレシート口９に向かって開閉カバー３の表面を矢印Ｂ方向に滑って行き、レシート口土手９ａまで達した硬貨２０はレシート口土手９ａの突起形状を避けるように装置背面側に滑り落ちていく。
【００１９】
（実施例１の効果）
以上のように、実施例１の現金処理装置によれば、レシート口の周囲に突起形状の土手を設けるようにしたので、開閉カバーの硬貨置場に硬貨を置いたまま開閉カバーを開けてもレシート口から装置内に硬貨が落下しないようすることができ、硬貨が紛失したり、装置内に落下した硬貨による装置故障をなくすことができる。
【実施例２】
【００２０】
（構成）
図３は、実施例２の現金処理装置１の構成図である。同図に示したように、実施例２の現金処理装置１では、紙幣リジェクト部７のリジェクト口７ａの周辺にリジェクト口土手７ｂを新たに設けた構成となっている。なお、リジェクト口土手７ｂは、装置正面側、すなわち回転支点３ａ側とは反対側にのみに設けるようにしてもよい。また、リジェクト口７ａ周辺に設けるリジェクト口土手７ｂは船底状の突起形状などの形状としてもよい。その他の構成は、実施例１の現金処理装置の構成と同様であるので簡略化のためにその詳細な説明は省略する。
【００２１】
（動作）
以上の構成により実施例２の現金処理装置１は、以下のように動作する。なお硬貨２０を入金する動作については実施例１の現金処理装置１の動作と同様であるので簡略化のためにその詳細な説明は省略する。
【００２２】
硬貨置場８に硬貨２０を置いたまま開閉カバー３を開いた場合、硬貨２０はレシート口９およびリジェクト口７ａに向かって開閉カバー３の表面を滑っていく。
【００２３】
そして、レシート口９に向かって滑っていく硬貨２０は、実施例１の現金処理装置と同様、レシート口土手９ａによりレシート口９には入らないで装置背面側に落下する。
【００２４】
一方、紙幣リジェクト部７に向かって滑っていく硬貨２０は、リジェクト口土手７ｂまで達し、リジェクト口土手７ｂの突起形状を避けるように装置背面側に滑り落ちていく。
【００２５】
（実施例２の効果）
以上のように、実施例２の現金処理装置によれば、リジェクト紙幣を排出するリジェクト口の周囲に突起形状の土手を設けるようにしたので、開閉カバーの上に硬貨を置いたまま開閉カバーを開けてもリジェクト口から装置内に硬貨が落下しないようすることができ、硬貨が紛失したり、装置内に落下した硬貨による装置故障をなくすことができる。
【実施例３】
【００２６】
（構成）
図４は、実施例３の現金処理装置１の構成図である。同図に示したように、実施例３の現金処理装置１では、実施例１または実施例２の現金処理装置にてレシート口９の周辺に設けたレシート口土手９ａに替えて、レシート口９の装置正面側に船底状のレシート口土手９ｘを設けた構成としている。その他の構成は、実施例２の現金処理装置の構成と同様であるので簡略化のためにその詳細な説明は省略する。
【００２７】
（動作）
以上の構成により実施例３の現金処理装置１は、以下のように動作する。なお硬貨２０を入金する動作については実施例１の現金処理装置１の動作と同様であるので簡略化のためにその詳細な説明は省略する。
【００２８】
実施例２の現金処理装置１と同様、硬貨置場８に硬貨２０を置いたまま開閉カバー３を開いた場合、硬貨２０はレシート口９およびリジェクト口７ａに向かって開閉カバー３の表面を滑っていく。
【００２９】
そして、レシート口９に向かって滑っていく硬貨２０は、レシート口土手９ｘにより突起形状を避けるように装置背面側に滑り落ちていく。
【００３０】
一方、リジェクト口７ａに向かって滑っていく硬貨２０は、リジェクト口土手７ｂまで達し、リジェクト口土手７ｂの突起形状を避けるように装置背面側に滑り落ちていく。
【００３１】
（実施例３の効果）
以上のように、実施例３の現金処理装置によれば、レシート口周囲に船底状の突起形状を設けるようにしたので、開閉カバーの上に硬貨を置いたまま開閉カバーを開けてもレシート口から装置内に落下する硬貨を、さらになくすことができ、硬貨が紛失したり、装置内に落下した硬貨による装置故障を、さらになくすことができる。
【産業上の利用可能性】
【００３２】
以上述べたように、本発明は、硬貨等の現金を扱う現金処理装置に広く用いることができる。
【符号の説明】
【００３３】
１    現金処理装置
３    開閉カバー
３ａ  回転支点
７    紙幣リジェクト部
７ａ  リジェクト口
７ｂ  リジェクト口土手
８    硬貨置場
９    レシート口
９ａ、９ｘ  レシート口土手
１１  硬貨投入口
２０  硬貨
【図１】
0005617580.tif 000002
【図２】
0005617580.tif 000003
【図３】
0005617580.tif 000004
【図４】
0005617580.tif 000005
【図５】
0005617580.tif 000006
【図６】
0005617580.tif 000007